(57)【要約】【課題】少なくなってきたティシュの取出し口への近づけも、ティシュの取出しも安定して行え、又ティシュが抜け落ちるのを防止できる、スリムで縦横両置きが可能で、狭いスペースにも設置ができるティッシュケース１００を提供すること。【解決手段】収納空間１０ａと、ティッシュ取出口１１と、挿入口１２と、この挿入口１２から前記収納空間１０ａ側に突出する係止部１３と、を備えたケース本体１０と、挿入口１２から収納空間１０ａ内に収納され、ティッシュ取出口１１に対向する補助口２４を有する側面部材２１と、この側面部材２１に一体で多数のティッシュ３０を載置する底面部材２２と、側面部材２１の下方に形成されて、ケース本体１０の係止部１３に係合する係合部２３と、を備えた変形可能なインナーケース２０と、からなるインナーケース２０をケース本体１０に係合すること。【選択図】図１
2015137137.tif 000002
【特許請求の範囲】
【請求項１】
収納空間と、ティッシュ取出口と、挿入口と、この挿入口から前記収納空間側に突出する係止部と、を備えたケース本体と、
前記挿入口から収納空間内に収納され、前記ティッシュ取出口に対向する補助口を有する側面部材と、この側面部材に一体で多数のティッシュを載置する底面部材と、前記側面部材の下方に形成されて、前記ケース本体の係止部に係合する係合部と、を備えた変形可能なインナーケースと、
からなる前記インナーケースを前記ケース本体に係合することを特徴とするティッシュケース。
【請求項２】
前記ケース本体は、前記ティッシュ取出口を頂点とする曲面側板と、この曲面側板の両側を覆う立ち側板とからなることを特徴とする請求項１に記載のティッシュケース。
【請求項３】
前記一対の立ち側板の各下面と、前記一対の立ち側板の少なくとも一方の側面とに、滑り止めを設けたことを特徴とする請求項２に記載のティッシュケース。
【発明の詳細な説明】
【技術分野】
【０００１】
本発明は、ティッシュを収納するためのティッシュケースに関するものである。
【背景技術】
【０００２】
ティッシュ等の生活必需品でありかつ消耗品である商品は、「所定の容器」に詰め替えて使用することがなされており、出願人も、この詰め替え用の所定の容器について、デザインが統一感のあるように努めているところである。
【０００３】
一方で、ティッシュ用の容器としては、洗面台上の他の詰め替え容器との統一感があると、洗面台上を美しくすることができると考えられる。勿論、このような容器からの、ティッシュの取り出しも詰め替えも容易に行え、使用に際しては、ティッシュが容器から抜け落ちないようにできなければならない。さらには、このようなティッシュ容器が、例えば狭い洗面台上を有効利用できるようにするために、縦でも横でも置けるようにすることができて、ティッシュの詰め替えもできるものが要望されている。
【０００４】
このような、ティッシュ用の詰め替え容器としては、例えば特許文献１にて提案されているような、「開閉自在容器」がある。
【先行技術文献】
【特許文献】
【０００５】
【特許文献１】特許第４５２３２０２号掲載公報、図１
【発明の概要】
【発明が解決しようとする課題】
【０００６】
特許文献１にて提案されている「開閉自在容器」は、「容易かつ確実に開閉蓋を開くことができ、かつ開閉蓋の形状を大きく取ることができる開閉自在容器を提供すること」を目的としてなされたもので、図７にも示すように、例えば、
「取出口が形成された上板と、上板から下方へ延びる側板とを有し、下方が開口した容器本体と、容器本体の側板に揺動自在に取付けられ、この取出口を密閉する開閉蓋と、容器本体の下方開口を密閉する底蓋とを備え、容器本体と開閉蓋との間の揺動部に、開閉蓋を開方向に向かって付勢する弾性付勢手段を設け、容器本体の側板はラベルと、ラベル上に射出された射出樹脂とからなり、容器本体の側板上部に全周に渡って下方に向って外方へ突出する段部が設けられ、ラベル端部は側板の段部に位置することを特徴とする開閉自在容器」
という構成を有するものであり、上記目的が達成できると考えられる。
【０００７】
しかしながら、この特許文献１の「開閉自在容器」においては、「開閉蓋」の改良はなされているが、対象としているウエットティッシュが少なくなってきたときに、その取り出しが困難になることについては、考慮されていない。また、この特許文献１の「開閉自在容器」では、ウエットティッシュの詰め替えが容易となる構造ではなく、図７の形状からすると、「縦置き」も「横置き」もできるものとはなっていないように考えられる。
【０００８】
そこで、本発明者は、ティッシュの詰め替えが行えることは勿論、ティッシュの取出しが安定して行え、スリムで縦横両置きが可能で、狭い場所にも設置できるティッシュケースとするにはどうしたらよいか、について種々検討を重ねてきた結果、本発明を完成したのである。
【０００９】
すなわち、本発明の目的とするところは、少なくなってきたティシュの取出し口への近づけも、ティシュの取出しも安定して行え、さらにティシュの抜け落ちも防止できて、スリムで縦横両置きが可能で、狭い場所にも設置できるティッシュケースを提供することにある。
【課題を解決するための手段】
【００１０】
以上の課題を解決するために、まず、請求項１に係る発明の採った手段は、後述する最良形態の説明中で使用する符号を付して説明すると、
「収納空間１０ａと、ティッシュ取出口１１と、挿入口１２と、この挿入口１２から前記収納空間１０ａ側に突出する係止部１３と、を備えたケース本体１０と、
挿入口１２から収納空間１０ａ内に収納され、ティッシュ取出口１１に対向する補助口２４を有する側面部材２１と、この側面部材２１に一体で多数のティッシュ３０を載置する底面部材２２と、側面部材２１の下方に形成されて、ケース本体１０の係止部１３に係合する係合部２３と、を備えた変形可能なインナーケース２０と、
からなるインナーケース２０をケース本体１０に係合することを特徴とするティッシュケース１００」
である。
【００１１】
この請求項１に係るティッシュケース１００は、ケース本体１０内に、市販の化粧箱から取出したティッシュ３０を内部に収納した、変形可能なインナーケース２０を、挿入口１２から挿入して使用するものであり、各ティッシュ３０の取出しは、インナーケース２０の補助口２４とケース本体１０のティッシュ取出口１１とを通して行うものである。
【００１２】
このとき、インナーケース２０は、側面部材２１の下方に形成した係合部２３を備えているから、ティッシュ３０を入れたインナーケース２０を挿入口１２からケース本体１０内に収納するとき、例えば図３に示すように、この係合部２３をケース本体１０側の係止部１３に係合させることにより、当該インナーケース２０がケース本体１０に係合することになり、インナーケース２０の抜け落ちが防止されることになるのである。
【００１３】
また、このインナーケース２０を構成している底面部材２２は変形可能に形成したものであるから、図３中の仮想線で示したティッシュ３０の最大収納時形状から、少なくなってきたティッシュ３０の底上げを行うための、図３中の実線で示したティッシュ３０の底上げ形状に変形させることができる。この間、インナーケース２０を構成している側面部材２１も軟質材料によって形成したものであるから、底面部材２２の変形に応じて側面部材２１も変形するが、インナーケース２０側の係合部２３はケース本体１０側の係止部１３に係合したままであるため、インナーケース２０は、ケース本体１０の挿入口１２から抜け落ちることはなく、ケース本体１０の収納空間１０ａに収納されたままの状態が続く。
【００１４】
そして、本発明に係るティッシュケース１００では、ケース本体１０はティッシュ取出口１１と挿入口１２とで開口するだけであるし、このケース本体１０内に収納されるインナーケース２０はティッシュ３０収納のための両側開口と補助口２４とで開口するだけであって、しかも、ケース本体１０側の挿入口１２はティッシュ３０側の底面部材２２で、インナーケース２０側の両開口はケース本体１０自体で覆われるから、収納されたティッシュ３０は、ティッシュ取出口１１と補助口２４以外は包まれた状態にある。従って、詰め替えのために入れられたティッシュ３０は、収納空間１０ａというスリムな空間内に収納されることになるだけでなく、当該ティッシュ３０が詰められたティッシュケース１００は、これを縦に置いても横に置いても使用することができて、その際にティッシュ取出口１１と補助口２４以外からティッシュ３０が出ることはない。
【００１５】
さらに、本発明に係るティッシュケース１００は、図４に示すように、そのインナーケース２０内にティッシュ３０を纏めて収納しておき、このインナーケース２０をケース本体１０の挿入口１２から収納空間１０ａ内に挿入してから、図５及び図６に示すように、インナーケース２０側の係合部２３をケース本体１０側の係止部１３に係合させて一体化するものである。勿論、ケース本体１０側のティッシュ取出口１１にはインナーケース２０側の補助口２４が対向させてあるから、図５等に示すように、両者を通してティッシュ３０の取出しが行えるのである。
【００１６】
ティッシュ３０が少なくなってきたときには、図６に示すように、変形可能なインナーケース２０を構成している底面部材２２を押し上げれば、ティッシュ３０も押し上げられて、ティッシュ取出口１１及び補助口２４の両者を通してのティッシュ３０の取出しが容易に行えることは、上述した通りである。
【００１７】
要するに、本発明に係るティッシュケース１００は、インナーケース２０をケース本体１０内に挿入したときにも、インナーケース２０の底面部材２２を押し上げる際にも、インナーケース２０側の係合部２３がケース本体１０側の係止部１３に係合している、つまりインナーケース２０がケース本体１０に係合しているため、インナーケース２０がケース本体１０から抜け落ちることはない。
【００１８】
そして、インナーケース２０は、変形可能なものであるから、ティッシュ３０を纏めて収納でき、これをケース本体１０内に入れれば、縦に置いても横に置いても使用できるスリムなティッシュケース１００となるのであり、このスリムなティッシュケース１００は、台所上のような狭いスペースに収納できるのである。勿論、ケース本体１０の幅は、ティッシュ３０の幅より狭く、スリムにしてある。
【００１９】
従って、本発明に係るティッシュケース１００は、少なくなってきたティシュ３０の取出し口への近づけも、ティシュ３０の取出しも安定して行えて、ティッシュ３０が抜け落ちることもないもので、スリムで縦横両置きが可能で、狭いスペースにも設置ができるものとなっているのである。
【００２０】
また、上記課題を解決するために、請求項２に係る発明の採った手段は、上記請求項１に記載のティッシュケース１００について、
「ケース本体１０は、ティッシュ取出口１１を頂点とする曲面側板１４と、この曲面側板１４の両側を覆う立ち側板１５とからなること」
としたことである。
【００２１】
この請求項２に係るティッシュケース１００では、「箱型イメージ」からの脱出をより具体化したものであり、そのために、ティッシュ取出口１１を頂点とする曲面側板１４をケース本体１０の構成部材の一つとしたものである。この曲面側板１４の存在によって、当該請求項２に係るティッシュケース１００は、図７に示した従来型のものに比して、例えば図５に示すように、「箱型イメージ」から完全に脱出したものとなっているのである。
【００２２】
また、この請求項２のティッシュケース１００にあっては、曲面側板１４の両側を覆う立ち側板１５の存在によって、例えば図３に示すような、ティッシュ取出口１１が上面に位置する「横置き」も、例えば図１に示すような、ティッシュ取出口１１が側面に位置する「縦置き」も可能となるのである。特に、「縦置き」した場合には、設置面が少なくて奥行きを狭くすることが可能になるから、より一層スリムで狭いスペースにも設置できるものとなる。
【００２３】
従って、この請求項２に係るティッシュケース１００は、上記請求項１のそれと同様な機能を発揮するとともに、より一層スリムで狭いスペースにも設置できるものとなる。
【００２４】
さらに、上記課題を解決するために、請求項３に係る発明の採った手段は、上記請求項２に記載のティッシュケース１００について、
「一対の立ち側板１５の下面と、一対の立ち側板１５の少なくとも一方の側面とに、滑り止め１６ａ・１６ｂを設けたこと」
である。
【００２５】
請求項２に係るティッシュケース１００は、図１に示す「横置き」も、図３に示す「縦置き」も可能なものであったが、この請求項３に係るティッシュケース１００では、いずれの置き方の場合でも、ティッシュ３０を引き出す際の力に抗することができて、例えば机上に置いた当該ティッシュケース１００の滑り止めがなされるのである。
【００２６】
すなわち、この請求項３に係るティッシュケース１００では、図３に示すように、両立ち側板１５の下面に滑り止め１６ａを設けたことによって、「横置き」したときの滑り止めが達成でき、図１に示すように、一対の立ち側板１５の少なくとも一方の側面に滑り止め１６ｂを設けたことによって、「縦置き」したときの滑り止めが達成できのである。
【００２７】
従って、この請求項３に係るティッシュケース１００は、上記請求項２のそれと同様な機能を発揮するとともに、「横置き」の際も「縦置き」の際も滑り止めできるものとなっているのである。
【発明の効果】
【００２８】
以上、説明した通り、本発明においては、
「収納空間１０ａと、ティッシュ取出口１１と、挿入口１２と、この挿入口１２から前記収納空間１０ａ側に突出する係止部１３と、を備えたケース本体１０と、
挿入口１２から収納空間１０ａ内に収納され、ティッシュ取出口１１に対向する補助口２４を有する側面部材２１と、この側面部材２１に一体で多数のティッシュ３０を載置する底面部材２２と、側面部材２１の下方に形成されて、ケース本体１０の係止部１３に係合する係合部２３と、を備えた変形可能なインナーケース２０と、
からなるインナーケース２０をケース本体１０に係合すること」
にその構成上の主たる特徴があり、これにより、少なくなってきたティシュ３０の取出し口への近づけも、ティシュ３０の取出しも安定して行え、又ティシュ３０が抜け落ちるのを防止できて、スリムで縦横両置きが可能で、狭いスペースにも設置ができるティッシュケース１００を提供することができるのである。
【図面の簡単な説明】
【００２９】
【図１】本発明に係るティッシュケース１００を示し、机上に縦置きしたときの平面図である。
【図２】同ティッシュケース１００の底面図である。
【図３】同ティッシュケース１００を示し、机上に横置きしたときの断面図である。
【図４】同ティッシュケース１００を使用する前の状態を示すもので、ティッシュ３０を収納したインナーケース２０をケース本体１０内に挿入する様子を示す断面図である。
【図５】同ティッシュケース１００のティッシュ３０が多い場合の断面図である。
【図６】同ティッシュケース１００のティッシュ３０が少なくなった場合の断面図である。
【図７】特許文献１の技術を示す斜視図である。
【発明を実施するための形態】
【００３０】
次に、上記のように構成した各請求項に係る発明を、図面に示した実施の形態であるティッシュケース１００について説明すると、このティッシュケース１００は、図１〜図４に示したように、ケース本体１０と、変形可能に形成したインナーケース２０とからなっている。インナーケース２０は、図４に示したように、内部にティッシュ３０を収納した状態で、挿入口１２からケース本体１０の収納空間１０ａ内に挿入されるもので、両者は、図３に示したように、ケース本体１０側の係止部１３にインナーケース２０側の係合部２３を係合させることにより、抜け止めされる。
【００３１】
本実施形態におけるケース本体１０は、図１〜図３に示したように、ティッシュ取出口１１を頂点とする曲面側板１４と、この曲面側板１４の両側を覆う立ち側板１５とによって、内部に収納空間１０ａを有するものとして形成したもので、図２に示したように、インナーケース２０を挿入するための挿入口１２が形成してある。
【００３２】
この挿入口１２の両側には、図２に示したように、この挿入口１２から収納空間１０ａ側に突出する係止部１３が一体化してあり、この係止部１３には、図３に示したように、上述したインナーケース２０側の各係合部２３が係合されるものである。なお、本実施形態では、これらの係止部１３は、曲面側板１４の下方から挿入口１２側へ突出させた構成のものであるが、さらに、ティッシュ取出口１１側に突出させた構成を採用することもできるものである。つまり、これらの係止部１３は、曲面側板１４の下方から内側に突出した突出部を含むものである。
【００３３】
本発明に係るティッシュケース１００は、前述したように、「縦置き」（図１に示した置き方で、各立ち側板１５が机上面に当接する場合）も、「横置き」（図３に示した置き方で、立ち側板１５が机上面に立っている場合）もできるようにしたものであり、その場合の各滑り止めが滑り止め１６ａまたは滑り止め１６ｂによって行えるようにしてある。すなわち、図１中の点線で示したように、両立ち側板１５の下面に滑り止め１６ａを設けることによって、「横置き」した場合の滑り止めが、また、図１のティッシュケース１００の下端に設けた滑り止め１６ｂによって、「縦置き」した場合の滑り止めがそれぞれ行えるようにしてある。
【００３４】
以上のケース本体１０内に収納されるインナーケース２０は、例えば図３に示したように、収納空間１０ａの外周に沿うとともに、ティッシュ取出口１１に対向する補助口２４を有する側面部材２１と、この側面部材２１の両下方に一体で多数のティッシュ３０を載置する底面部材２２と、によって構成したものである。これらの側面部材２１及び底面部材２２は、平板状で変形可能に形成したものであり、両者の端縁同士を接着することによって、トンネルのように、左右がティッシュ３０の挿入ができるように開口したものとしたものである。なお、このインナーケース２０は、収納空間１０ａの外周に沿わなくてもよい。
【００３５】
このインナーケース２０を構成する底面部材２２については、その幅をケース本体１０側の収納空間１０ａの幅より長くなるようにしてある。この底面部材２２は、側面部材２１の下端両側を突っ張らせて、図５及び図６に示したように、自らは下方にも上方にも凸状態になってティッシュ３０の量変化に対応する役目も果たすものだからである。
【００３６】
このインナーケース２０を構成している底面部材２２と側面部材２１との端縁同士の接着部分は、ケース本体１０の両係止部１３にそれぞれ係合する係合部２３となっている。これらの係合部２３は、当該インナーケース２０をケース本体１０の収納空間１０ａ内に挿入した際に、上述したように、各係止部１３の内側に挿入して係合されるものである。この係合部２３は、底面部材２２または側面部材２１のみに設けてもよく、また、上記の方法以外で設けてもよい。
【００３７】
このインナーケース２０については、以上のように、２部材を溶着してもよいが、一体成形してもよいし、射出成形品でも、さらにはシート加工品であってもよいものである。また、ケース本体１０については、射出成形品であってもよいし、上記のような板加工品であってもよい。いずれにしても、これらのケース本体１０もインナーケース２０も、その材質の限定を受けるものではない。
【００３８】
なお、側面部材２１の中央には図１に示したように、ケース本体１０側のティッシュ取出口１１に対向する補助口２４が形成してあるが、この補助口２４からはティッシュ３０の一部を引き出しておいて、インナーケース２０をケース本体１０内に挿入した際に、ティッシュ３０がケース本体１０のティッシュ取出口１１から出し易いようにされる。このため、この補助口２４は、ティッシュ取出口１１より大きなものとして形成してある。
【符号の説明】
【００３９】
１００    ティッシュケース
１０    ケース本体
１０ａ  収納空間
１１    ティッシュ取出口
１２    挿入口
１３    係止部
１４    曲面側板
１５    立ち側板
１６ａ  滑り止め
１６ｂ  滑り止め
２０    インナーケース
２１    側面部材
２２    底面部材
２３    係合部
２４    補助口
３０    ティッシュ
【図１】
2015137137.tif 000003
【図２】
2015137137.tif 000004
【図３】
2015137137.tif 000005
【図４】
2015137137.tif 000006
【図５】
2015137137.tif 000007
【図６】
2015137137.tif 000008
【図７】
2015137137.tif 000009